(57)【要約】      （修正有）【課題】体成分測定のためのクランプ電極装置を提供する。【解決手段】クランプ電極装置であって、第１クランプ１１０の上部クランプ羽１１２に第１電極１２２、下部クランプ羽１１４に第３電極１２４を含み、ヒンジ軸を中心に回転する。一方、第２クランプの上部クランプ羽１５２に第２電極１６２、下部クランプ羽１５４に第４電極１６４を含み、ヒンジ連結され、上部クランプ羽が下部クランプ羽に対して相対的に回転する。第１クランプと第２クランプは互いに連結されて１つの統合された装置を構成し、互いに並んで配列されて第１クランプの上部クランプ羽の第１エッジと第２クランプの上部クランプ羽の第２エッジが互いに向かい合って配置されるように構成される。【選択図】図７
2019115649.tif 000002
【特許請求の範囲】
【請求項１】
クランプ電極装置であって、
第１クランプと第２クランプ及び第１電極と第２電極を含み、
第１クランプと第２クランプのそれぞれは上部クランプ羽と下部クランプ羽を含み、上部クランプ羽と下部クランプ羽は互いに連結され、互いに対して相対的に動き自在であるため、被検査体の肢体の特定部位が上部クランプ羽と下部クランプ羽との間にかみ合うようにして第１クランプ及び第２クランプを装着し、
第１クランプと第２クランプは互いに連結されて１つの統合された装置を構成し、互いに並んで配列されて第１クランプの上部クランプ羽の第１エッジと第２クランプの上部クランプ羽の第２エッジが互いに向かい合って配置されるように構成され、第１エッジと第２エッジとの間には開口部又はチャネルが形成され、肢体の特定部位にあるマークが開口部又はチャネルに整列するように第１クランプと第２クランプを装着し、
第１電極は、第１クランプ及び第２クランプのうち１つの内側面に付着され、第１クランプと第２クランプが肢体の特定部位に装着されるとき特定部位の第１皮膚表面に接触し、
第２電極は、第１クランプ及び第２クランプのうち１つの内側面に付着され、第１クランプと第２クランプが肢体の特定部位に装着されるとき特定部位の第２皮膚表面（第１皮膚表面と異なる個所に位置する）に接触し、
被検査体の肢体がかみ合って第１クランプと第２クランプが装着されるとき、特定部位にあるマークが基準点になって開口部又はチャネルに整列して装着されることにより、第１クランプと第２クランプの装着及び除去を繰り返して測定するときにも第１電極と第２電極がそれぞれ大体同じ位置の皮膚表面と接触することを特徴とするクランプ電極装置。
【請求項２】
前記クランプ電極装置として、第１クランプの上部羽と第２クランプの上部羽が独立的に動くことができるように構成され、第１クランプの下部羽と第２クランプの下部羽が独立的に動くことができるように構成されたことを特徴とする、請求項１に記載のクランプ電極装置。
【請求項３】
前記クランプ電極装置として、第１クランプの上部羽と第２クランプの上部羽が独立的に動くことができるように構成され、第１クランプの下部羽と第２クランプの下部羽は一体になって相対的に動かないことを特徴とする、請求項１に記載のクランプ電極装置。
【請求項４】
前記クランプ電極装置として、第１電極は第１クランプに付着され、第２電極は第２クランプに付着されることを特徴とする、請求項１に記載のクランプ電極装置。
【請求項５】
前記クランプ電極装置として、第１電極は第１クランプに付着され、第２電極は第２クランプに付着され、第１クランプが第２クランプよりも肢体の長手方向に胴体側からさらに遠く位置することを特徴とする、請求項１に記載のクランプ電極装置。
【請求項６】
前記クランプ電極装置として、第１クランプの上部クランプ羽と下部クランプ羽はヒンジ連結され、上部クランプ羽が下部クランプ羽に対して相対的に第１軸を中心に回転し、第２クランプの上部クランプ羽と下部クランプ羽はヒンジ連結され、上部クランプ羽が下部クランプ羽に対して相対的に第２軸を中心に回転されるが、第１軸と第２軸は一致したり、互いに平行したり、又は、互いに平行しないことを特徴とする、請求項１に記載のクランプ電極装置。
【請求項７】
前記クランプ電極装置として、
第３電極、第４電極をさらに含み、
第３電極は第１クランプの下部羽の内側面に付着され、第１クランプが肢体の特定部位に装着されるとき特定部位の第３皮膚表面に接触するが、第１クランプが肢体の特定部位に装着された状態で肢体の長手方向に沿って測定したとき第１皮膚表面と第３皮膚表面がマークから大体同じ距離だけ離隔して第１電極と第３電極が第１クランプの上下部羽に互いに向かい合うように付着され、
第４電極は第２クランプの下部羽の内側面に付着され、第２クランプが肢体の特定部位に装着されるとき特定部位の第４皮膚表面に接触するが、第２クランプが肢体の特定部位に装着された状態で肢体の長手方向に沿って測定したとき第２皮膚表面と第４皮膚表面がマークから大体同じ距離だけ離隔して第３電極と第４電極が第２クランプの上下部羽に互いに向かい合うように付着され、
被検査体の肢体がかみ合って第１クランプと第２クランプが装着されるとき、特定部位にあるマークが基準点になって開口部又はチャネルに整列して装着されることで、第１クランプと第２クランプの装着及び除去を繰り返し測定するときにも第３電極、第４電極がそれぞれ大体同じ位置の皮膚表面と繰り返し接触することを特徴とする、請求項１に記載のクランプ電極装置。
【請求項８】
測定システムであって、
請求項７に記載のクランプ電極装置である第１電極装着装置と、
第５電極及び第６電極を備えた第２電極装着装置と、
電流供給回路と、
電圧測定回路と、
それぞれが第１電極、第２電極、第３電極、第４電極、第５電極、第６電極に連結された第１ターミナル、第２ターミナル、第３ターミナル、第４ターミナル、第５ターミナル、第６ターミナルと、
第１ターミナル、第２ターミナル、第３ターミナル、第４ターミナル、第５ターミナル、第６ターミナルのそれぞれを電流供給装置又は電圧測定回路に連結する接続回路を含み、
第１電極装着装置は第１肢体に装着され、第２電極装着装置は第２肢体に装着され、
スイッチング回路は、第１ターミナルと第２ターミナルを電流供給回路に連結し、第３ターミナル、第４ターミナルを電圧測定回路に連結するが、スイッチング回路は、第１ターミナル、第２ターミナル、第３ターミナル、第４ターミナルと電流供給装置及び電圧測定回路の間の連結をスイッチングするように構成され、
第１測定セッティングでは、第１ターミナルは電流供給回路に連結され、第３ターミナルは電圧測定回路に連結され、第３ターミナル及び第４ターミナルは電流供給回路と電圧測定装置に連結されず、
第２測定セッティングでは、第２ターミナルは電流供給回路に連結され、第４ターミナルは電圧測定回路に連結され、第１ターミナルと第３ターミナルは電流供給回路と電圧測定装置に連結されず、このようなスイッチングは、クランプ電極装置が肢体の特定部位を挟んで装着されている状態を保持しながら、第１測定セッティングと第２測定セッティングとの間にクランプ電極装置を第１肢体から分離されずに行われ、
スイッチング回路は、第５ターミナルを電流供給回路に連結し、第６ターミナルは電圧測定回路に連結するように構成し、第１測定セッティングでは、第３電極と第６電極との間で第１電圧差を測定し、第２測定セッティングでは、第４電極と第６電極との間で第２電圧差を測定できるように構成された、測定システム。
【請求項９】
前記測定システムとして、前記第２電極装着装置は、第１電極装着装置のクランプ電極装置と実質的に同じ構成であるクランプ電極装置（以下、第１電極装着装置のクランプ電極装置を第１クランプ電極装置、第２電極装着装置のクランプ電極装置を第２クランプ電極装置と称する）を含むことを特徴とする、請求項８に記載の測定システム。
【請求項１０】
前記測定システムとして、第２電極装着装置は、第１電極装着装置のクランプ電極装置とは異なる構成のクランプ電極装置（以下、第１電極装着装置のクランプ電極装置を第１クランプ電極装置、第２電極装着装置のクランプ電極装置を第２クランプ電極装置と称する）を含み、
第２クランプ電極装置は単一のクランプを備え、単一のクランプは、上部クランプ羽と下部クランプ羽を含み、上部クランプ羽と下部クランプ羽は互いに連結され、互いに対して相対的に動き自在であるため、被検査体の第２肢体の特定部位に上部クランプ羽と下部クランプ羽との間にかみ合うようにして単一のクランプを装着し、
第２クランプ電極装置には、上部クランプ羽又は下部クランプ羽のエッジから延びた延長部が備えられ、その延長部とエッジとの間に開口部又はチャネルが形成され、第２肢体の特定部位にあるマークが開口部又はチャネルに整列するように単一のクランプとクランプを装着し、
第２クランプ電極装置は第５電極及び第６電極を備え、第５電極は、上部クランプ羽に付着して単一のクランプが第２肢体に結合されるとき第５皮膚表面に接触し、第６電極は、下部クランプ羽に付着して単一のクランプが第２肢体に結合されるとき第６皮膚表面に接触し、
被検査体の第２肢体に単一のクランプが装着されるとき、肢体の特定部位にあるマークを基準点として用いてマークが開口部又はチャネル内に整列するように装着し、単一のクランプの装着及び除去を繰り返して測定するときにも第５電極及び第６電極がそれぞれ大体同じ位置の皮膚表面と接触することを特徴とする、請求項８に記載の測定システム。
【請求項１１】
身体の電気的測定方法であって、
請求項８に記載の測定システムを提供するステップと、
第１電極装着装置のクランプ電極装置で被検査者の第１肢体にあるマークの周辺の特定部位を挟んでクランプ電極装置を装着するが、第１肢体の長手方向に垂直方向から見たとき第１肢体のマークが開口部又はチャネル内に位置するように装着し、第１電極、第２電極、第３電極、第４電極が特定部位の第１皮膚表面、第２皮膚表面、第３皮膚表面、第４皮膚表面と接触するように第１電極装置を装着するステップと、
第２電極装着装置を被検査者の第２肢体に装着するが、第５電極及び第６電極がそれぞれ第２肢体の第５皮膚表面及び第６皮膚表面と接触するように第２電極装着装置を装着するステップと、
第１電極、第２電極、第３電極、第４電極、第５電極、第６電極をそれぞれ第１ターミナル、第２ターミナル、第３ターミナル、第４ターミナル、第５ターミナル、第６ターミナルに連結するステップと、
第１ターミナル及び第５ターミナルを電流供給回路に連結し、第３ターミナル及び第６ターミナルを電圧測定回路に連結した第１測定セッティングで第３電極と第６電極との間に第１電圧差の測定を行うステップと、
第１電極装着装置と第２電極装着装置をそれぞれ第１肢体と第２肢体に装着した状態を保持しながら、第１電極及び第３電極の連結を切って第２電極と第４電極を連結するが、第２電極は、電流供給回路に連結されて第４電極は電圧測定装置に連結する第２測定セッティングを形成するステップと、
第２測定セッティングで第４電極と第６電極との間に第２電圧差の測定を行うステップと、
を含む、身体の電気的測定方法。
【請求項１２】
第１電極装着装置、第２電極装着装置を被検査者の第１肢体と第２肢体から分離するステップと、
予め設定された時間以後に再び第１電極装着装置のクランプ電極装置で被検査者の第１肢体を挟んでクランプ電極装置を装着するが、第１肢体の長手方向に垂直方向から見たときマークが開口部又はチャネル内に位置するように装着され、第１電極、第２電極、第３電極、第４電極が第１肢体の特定部位の第１皮膚表面、第２皮膚表面、第３皮膚表面、第４皮膚表面と再び接触するように第１電極装置を装着するステップと、
第２電極装着装置を再び被検査者の第２肢体に装着するが、第５電極及び第６電極がそれぞれ第２肢体の第５皮膚表面及び第６皮膚表面と接触するように第２電極装着装置を再び装着するステップと、
第１及び第２電極装置が再び装着された第２時点において第１測定セッティングで第１電圧差を測定し、第２測定セッティングで第２電圧差を測定するステップと、
予め設定された時間以前である第１時点に取得した第１電圧差と第２電圧との差、及び第２時点で取得した第１電圧差と第２電圧との差を処理して被検査者の体成分の変化を分析するステップと、
をさらに含む、請求項１１に記載の身体の電気的測定方法。
【請求項１３】
測定された第１電圧差又は第２電圧差を用いて第１肢体の特定部位のインピーダンス値を算出するステップをさらに含む、請求項１１又は請求項１２に記載の身体の電気的測定方法。
【請求項１４】
測定された第１電圧差又は第２電圧差及び予め備えられた公式又は表を用いて第１肢体の特定部位の体成分を分析するステップをさらに含む、請求項１１又は請求項１２に記載の身体の電気的測定方法。
【請求項１５】
第１肢体は脚であり、第２肢体は腕であり、マークはくるぶしであり、特定部位は足首であることを特徴とする、請求項１１に記載の身体の電気的測定方法。
【請求項１６】
第１肢体は腕であり、第２肢体は脚であり、マークは尺骨頭であり、特定部位は手首であることを特徴とする、請求項１１に記載の身体の電気的測定方法。
【請求項１７】
測定された第１電圧差又は第２電圧差を用いて腕−胴体−脚につながる身体のインピーダンス値を算出するステップをさらに含む、請求項１１に記載の身体の電気的測定方法。
【請求項１８】
測定された第１電圧差又は第２電圧差及び予め備えられた公式又は表を用いて被検査者の体成分を分析するステップをさらに含む、請求項１１に記載の身体の電気的測定方法。
【請求項１９】
特定部位は足首であり、第１電圧差と第２電圧との差を用いて足首の体成分に含まれた水分量を算出し、水分量が予め設定された量以上であるときに浮腫として判断するステップをさらに含む、請求項１１に記載の身体の電気的測定方法。
【請求項２０】
前記第１電圧差と第２電圧との差を用いて第１インピーダンス値を求めるステップと、予め設定された時間が経過した後、追加的な第１電圧差と第２電圧との差を測定して第２インピーダンス値を求めるステップと、第１インピーダンス値と第２インピーダンス値の差が予め設定された範囲以上である場合に浮腫として判断するステップをさらに含む、請求項１２に記載の身体の電気的測定方法。
【請求項２１】
測定システムであって、
請求項１ないし請求項６のいずれか一項に記載の請求項のクランプ電極装置の第１電極装着装置と、
第３電極及び第４電極を備えた第２電極装着装置と、
電流供給回路と、
電圧測定回路と、
それぞれが第１電極、第２電極、第３電極、第４電極に連結された第１ターミナル、第２ターミナル、第３ターミナル、第４ターミナルと、
第１ターミナル、第２ターミナル、第３ターミナル、第４ターミナルのそれぞれを電流供給装置又は電圧測定回路に連結する接続回路と、
を含み、
クランプ電極装置は第１肢体に装着され、第２電極装着装置は第２肢体に装着されるとき、スイッチング回路は、第１ターミナルと第２ターミナル及び電流供給回路と電圧測定回路との間の連結をスイッチングするように構成され、第１測定セッティングでは、第１ターミナルは電流供給回路に連結され、第２ターミナルは電圧測定回路に連結され、第２測定セッティングでは、第２ターミナルは電流供給回路に連結され、第１ターミナルは電圧測定回路に連結されるが、このようなスイッチングは、クランプ電極装置が肢体の特定部位を挟んで装着されている状態を保持しながら、第１測定セッティングと第２測定セッティングとの間にクランプ電極装置を第１肢体から分離されずに行われ、
スイッチング回路は、第３ターミナルを電流供給回路に連結され、第４ターミナルは電圧測定回路に連結されるように構成し、第１測定セッティングでは第２電極と第４電極との間で第１電圧差を測定し、第２測定セッティングでは第１電極と第４電極との間で第２電圧差を測定できるように構成された、測定システム。
【請求項２２】
前記測定システムとして、前記第２電極装着装置は、第１電極装着装置のクランプ電極装置と実質的に同じ構成であるクランプ電極装置（以下、第１電極装着装置のクランプ電極装置を第１クランプ電極装置、第２電極装着装置のクランプ電極装置を第２クランプ電極装置と称する）を含むことを特徴とする、請求項２１に記載の測定システム。
【請求項２３】
前記測定システムとして、第２電極装着装置は、第１電極装着装置のクランプ電極装置とは異なる構成のクランプ電極装置（以下、第１電極装着装置のクランプ電極装置を第１クランプ電極装置、第２電極装着装置のクランプ電極装置を第２クランプ電極装置と称する）を含み、
第２クランプ電極装置は単一のクランプを備え、単一のクランプは上部クランプ羽と下部クランプ羽を含み、上部クランプ羽と下部クランプ羽は互いに連結され、互いに対して相対的に動き自在であるため、被検査体の第２肢体の特定部位に上部クランプ羽と下部クランプ羽との間にかみ合うようにして単一のクランプを装着し、
第２クランプ電極装置には、上部クランプ羽又は下部クランプ羽のエッジから延びた延長部が備えられ、その延長部とエッジとの間に開口部又はチャネルが形成され、第２肢体の特定部位にあるマークが開口部又はチャネルに整列するように単一のクランプとクランプを装着し、
第２クランプ電極装置は第３電極及び第４電極を備え、第３電極は上部クランプ羽に付着して単一のクランプが第２肢体に結合されるとき第３皮膚表面に接触し、第４電極は下部クランプ羽に付着して単一のクランプが第２肢体に結合されるとき第４皮膚表面に接触し、
被検査体の第２肢体に単一のクランプが装着されるとき、肢体の特定部位にあるマークを基準点として用いてマークが開口部又はチャネル内に整列するように装着し、単一のクランプの装着及び除去を繰り返して測定するときにも第３電極及び第４電極がそれぞれ大体同じ位置の皮膚表面と接触することを特徴とする、請求項２１に記載の測定システム。
【請求項２４】
身体の電気的測定方法であって、
請求項２２又請求項２３に記載の測定システムを提供するステップと、
第１クランプ電極装置で被検査者の足首を挟んで第１クランプ電極装置を装着するが、くるぶしが開口部又はチャネル内に位置するように装着し、第１電極及び第２電極がそれぞれ足首の第１皮膚表面と第２皮膚表面と接触するように第１クランプ電極装置を装着するステップと、
第２クランプ電極装置で被検査者の手首を挟んで第２クランプ電極装置を装着するが、尺骨頭が開口部又はチャネル内に位置するように装着するステップと、
第１電極、第２電極、第３電極、第４電極をそれぞれ第１ターミナル、第２ターミナル、第３ターミナル、第４ターミナルに連結するステップと、
第１ターミナル及び第３ターミナルを電流供給回路に連結し、第２ターミナル及び第４ターミナルを電圧測定回路に連結した第１測定セッティングで第２電極と第４電極との間に第１電圧差の測定を行うステップと、
第１クランプ電極装置と第２クランプ電極装置を足首と手首に装着した状態を保持しながら第１電極及び第２電極の連結をスイッチングし、第１電極は電圧測定回路に連結し、第２電極は電流供給回路に連結する第２測定セッティングを形成するステップと、
第２測定セッティングで第１電極と第４電極との間に第２電圧差の測定を行うステップと、
を含む、身体の電気的測定方法。
【請求項２５】
第１クランプ電極装置を被検査者の足首から分離するステップと、
予め設定された時間以後に再び第１クランプ電極装着装置で被検査者の足首を挟んでクランプ電極装置を装着するが、くるぶしが開口部又はチャネル内に位置するように装着し、第１電極及び第２電極が足首の第１皮膚表面、第２皮膚表面と再び接触するように第１クランプ電極装置を装着するステップをさらに含み、
第１クランプ電極装置が再び装着された第２時点の第１測定セッティングで第１電圧差を測定し、第２測定セッティングで第２電圧差を測定するステップと、
予め設定された時間以前である第１時点で測定した第１電圧差と第２電圧との差、及び第２時点で取得した第１電圧差と第２電圧との差を処理して被検査者の体成分の変化を分析するステップと、
をさらに含む、請求項２４に記載の身体の電気的測定方法。
【請求項２６】
測定された第１電圧差又は第２電圧差を用いて腕−胴体−脚につながる身体のインピーダンス値を算出するステップをさらに含む、請求項２４又は請求項２５に記載の身体の電気的測定方法。
【請求項２７】
測定された第１電圧差又は第２電圧差及び予め備えられた公式又は表を用いて被検査体の体成分を分析するステップをさらに含む、請求項２４ないし請求項２６のいずれか一項に記載の身体の電気的測定方法。
【請求項２８】
測定された第１電圧差又は第２電圧差を用いて足首のインピーダンス値を算出するステップをさらに含む、請求項２４ないし請求項２６のいずれか一項に記載の身体の電気的測定方法。
【請求項２９】
測定された第１電圧差又は第２電圧差及び予め備えられた公式又は表を用いて足首の体成分を分析するステップをさらに含む、請求項２４ないし請求項２６のいずれか一項に記載の身体の電気的測定方法。
【発明の詳細な説明】
【技術分野】
【０００１】
本出願に開示された内容は体成分測定に関する。
【背景技術】
【０００２】
一般的に、体成分（体の成分；ｂｏｄｙ  ｃｏｍｐｏｓｔｉｏｎ）分析は、人体内にある水、脂肪、骨、筋肉などを比率に示すため使用される。体成分を分析した情報は様々な効用性を有する。例えば、フィットネスしようとする人の場合、体成分情報は運動計画に用られる。肥満な人が自らダイエットを目標にすればガイドしてくれる。医師は、患者を治療するために用いられる。体成分を分析する１つの方法は、身体の電気的なインピーダンス値を測定することにある。体成分を正確に分析するためには様々な試みが求められるが、身体の電気的なインピーダンス値を正確に測定することがその１つである。
【発明の概要】
【発明が解決しようとする課題】
【０００３】
本発明の目的は、クランプ電極を用いた体成分測定を提供することにある。
【課題を解決するための手段】
【０００４】
本発明の一態様によると、クランプ電極装置が提供される。クランプ電極装置は、第１クランプと第２クランプ及び第１電極と第２電極を含み、第１クランプと第２クランプのそれぞれは上部クランプ羽と下部クランプ羽を含み、上部クランプ羽と下部クランプ羽は互いに連結され、互いに対して相対的に動き自在であるため、被検査体の肢体の特定部位が上部クランプ羽と下部クランプ羽との間にかみ合うようにして第１クランプ及び第２クランプを装着し、第１クランプと第２クランプは互いに連結されて１つの統合された装置を構成し、互いに並んで配列されて第１クランプの上部クランプ羽の第１エッジと第２クランプの上部クランプ羽の第２エッジが互いに向かい合って配置されるように構成され、第１エッジと第２エッジとの間には開口部又はチャネルが形成され、肢体の特定部位にあるマークが開口部又はチャネルに整列するように第１クランプと第２クランプを装着し、
第１電極は、第１クランプ及び第２クランプのうち１つの内側面に付着され、第１クランプと第２クランプが肢体の特定部位に装着されるとき特定部位の第１皮膚表面に接触し、第２電極は、第１クランプ及び第２クランプのうち１つの内側面に付着され、第１クランプと第２クランプが肢体の特定部位に装着されるとき特定部位の第２皮膚表面（第１皮膚表面と異なる個所に位置する）に接触し、被検査体の肢体がかみ合って第１クランプと第２クランプが装着されるとき、特定部位にあるマークが基準点になって開口部又はチャネルに整列して装着されることにより、第１クランプと第２クランプの装着及び除去を繰り返して測定するときにも第１電極と第２電極がそれぞれ大体同じ位置の皮膚表面と接触することを特徴とする。
【０００５】
上記のようなクランプ電極装置の一実施形態において、第１クランプの上部羽と第２クランプの上部羽が独立的に動くことができるように構成され、第１クランプの下部羽と第２クランプの下部羽が独立的に動くことができるように構成されたものであり得る。一実施形態において、第１クランプの上部羽と第２クランプの上部羽が独立的に動くことができるように構成され、第１クランプの下部羽と第２クランプの下部羽は一体になって相対的に動かないものであり得る。一実施形態において、第１電極は第１クランプに付着され、第２電極は第２クランプに付着されるものであり得る。
【０００６】
また、上記のようなクランプ電極装置の一実施形態において、第１電極は第１クランプに付着され、第２電極は第２クランプに付着され、第１クランプが第２クランプよりも肢体の長手方向に胴体側からさらに遠く位置し得る。一実施形態において、第１クランプの上部クランプ羽と下部クランプ羽はヒンジ連結され、上部クランプ羽が下部クランプ羽に対して相対的に第１軸を中心に回転し、第２クランプの上部クランプ羽と下部クランプ羽はヒンジ連結され、上部クランプ羽が下部クランプ羽に対して相対的に第２軸を中心に回転されるが、第１軸と第２軸は一致したり、互いに平行したり、又は、互いに平行しないものであり得る。
【０００７】
また、上記のようなクランプ電極装置の一実施形態において、クランプ電極装置は、第３電極、第４電極をさらに含み、第３電極は第１クランプの下部羽の内側面に付着され、第１クランプが肢体の特定部位に装着されるとき特定部位の第３皮膚表面に接触するが、第１クランプが肢体の特定部位に装着された状態で肢体の長手方向に沿って測定したとき第１皮膚表面と第３皮膚表面がマークから大体同じ距離だけ離隔して第１電極と第３電極が第１クランプの上下部羽に互いに向かい合うように付着され、第４電極は第２クランプの下部羽の内側面に付着され、第２クランプが肢体の特定部位に装着されるとき特定部位の第４皮膚表面に接触するが、第２クランプが肢体の特定部位に装着された状態で肢体の長手方向に沿って測定したとき第２皮膚表面と第４皮膚表面がマークから大体同じ距離だけ離隔して第３電極と第４電極が第２クランプの上下部羽に互いに向かい合うように付着され、被検査体の肢体がかみ合って第１クランプと第２クランプが装着されるとき、特定部位にあるマークが基準点になって開口部又はチャネルに整列して装着されることで、第１クランプと第２クランプの装着及び除去を繰り返し測定するときにも第３電極、第４電極がそれぞれ大体同じ位置の皮膚表面と繰り返し接触し得る。
【０００８】
本発明の他の側面によると、測定システムが提供される。測定システムは、上記に記載のクランプ電極装置のいずれか１つのであるクランプ電極装置である第１電極装着装置と、第５電極及び第６電極を備えた第２電極装着装置と、電流供給回路と、電圧測定回路と、それぞれが第１電極、第２電極、第３電極、第４電極、第５電極、第６電極に連結された第１ターミナル、第２ターミナル、第３ターミナル、第４ターミナル、第５ターミナル、第６ターミナルと、第１ターミナル、第２ターミナル、第３ターミナル、第４ターミナル、第５ターミナル、第６ターミナルのそれぞれを電流供給装置又は電圧測定回路に連結する接続回路を含み、第１電極装着装置は第１肢体に装着され、第２電極装着装置は第２肢体に装着され、スイッチング回路は、第１ターミナルと第２ターミナルを電流供給回路に連結し、第３ターミナル、第４ターミナルを電圧測定回路に連結するが、スイッチング回路は、第１ターミナル、第２ターミナル、第３ターミナル、第４ターミナルと電流供給装置及び電圧測定回路の間の連結をスイッチングするように構成され、第１測定セッティングでは、第１ターミナルは電流供給回路に連結され、第３ターミナルは電圧測定回路に連結され、第３ターミナル及び第４ターミナルは電流供給回路と電圧測定装置に連結されず、第２測定セッティングでは、第２ターミナルは電流供給回路に連結され、第４ターミナルは電圧測定回路に連結され、第１ターミナルと第３ターミナルは電流供給回路と電圧測定装置に連結されず、このようなスイッチングは、クランプ電極装置が肢体の特定部位を挟んで装着されている状態を保持しながら、第１測定セッティングと第２測定セッティングとの間にクランプ電極装置を第１肢体から分離されずに行われ、スイッチング回路は、第５ターミナルを電流供給回路に連結し、第６ターミナルは電圧測定回路に連結するように構成し、第１測定セッティングでは、第３電極と第６電極との間で第１電圧差を測定し、第２測定セッティングでは、第４電極と第６電極との間で第２電圧差を測定できるように構成される。
【０００９】
上記のような測定システムの一実施形態において、前記第２電極装着装置は、第１電極装着装置のクランプ電極装置と実質的に同じ構成であるクランプ電極装置（以下、第１電極装着装置のクランプ電極装置を第１クランプ電極装置、第２電極装着装置のクランプ電極装置を第２クランプ電極装置と称する）を含み得る。一実施形態において、第２電極装着装置は、第１電極装着装置のクランプ電極装置とは異なる構成のクランプ電極装置（以下、第１電極装着装置のクランプ電極装置を第１クランプ電極装置、第２電極装着装置のクランプ電極装置を第２クランプ電極装置と称する）を含み、第２クランプ電極装置は単一のクランプを備え、単一のクランプは、上部クランプ羽と下部クランプ羽を含み、上部クランプ羽と下部クランプ羽は互いに連結され、互いに対して相対的に動き自在であるため、被検査体の第２肢体の特定部位に上部クランプ羽と下部クランプ羽との間にかみ合うようにして単一のクランプを装着し、第２クランプ電極装置には、上部クランプ羽又は下部クランプ羽のエッジから延びた延長部が備えられ、その延長部とエッジとの間に開口部又はチャネルが形成され、第２肢体の特定部位にあるマークが開口部又はチャネルに整列するように単一のクランプとクランプを装着し、第２クランプ電極装置は第５電極及び第６電極を備え、第５電極は、上部クランプ羽に付着して単一のクランプが第２肢体に結合されるとき第５皮膚表面に接触し、第６電極は、下部クランプ羽に付着して単一のクランプが第２肢体に結合されるとき第６皮膚表面に接触し、被検査体の第２肢体に単一のクランプが装着されるとき、肢体の特定部位にあるマークを基準点として用いてマークが開口部又はチャネル内に整列するように装着し、単一のクランプの装着及び除去を繰り返して測定するときにも第５電極及び第６電極がそれぞれ大体同じ位置の皮膚表面と接触し得る。
【００１０】
本発明の更なる実施形態によると、身体の電気的測定方法が提供される。この身体の電気的測定方法は、上記に記載の測定システムのうちいずれか１つの測定システムを提供するステップと、第１電極装着装置のクランプ電極装置で被検査者の第１肢体にあるマークの周辺の特定部位を挟んでクランプ電極装置を装着するが、第１肢体の長手方向に垂直方向から見たとき第１肢体のマークが開口部又はチャネル内に位置するように装着し、第１電極、第２電極、第３電極、第４電極が特定部位の第１皮膚表面、第２皮膚表面、第３皮膚表面、第４皮膚表面と接触するように第１電極装置を装着するステップと、第２電極装着装置を被検査者の第２肢体に装着するが、第５電極及び第６電極がそれぞれ第２肢体の第５皮膚表面及び第６皮膚表面と接触するように第２電極装着装置を装着するステップと、第１電極、第２電極、第３電極、第４電極、第５電極、第６電極をそれぞれ第１ターミナル、第２ターミナル、第３ターミナル、第４ターミナル、第５ターミナル、第６ターミナルに連結するステップと、第１ターミナル及び第５ターミナルを電流供給回路に連結し、第３ターミナル及び第６ターミナルを電圧測定回路に連結した第１測定セッティングで第３電極と第６電極との間に第１電圧差の測定を行うステップと、第１電極装着装置と第２電極装着装置をそれぞれ第１肢体と第２肢体に装着した状態を保持しながら、第１電極及び第３電極の連結を切って第２電極と第４電極を連結するが、第２電極は、電流供給回路に連結されて第４電極は電圧測定装置に連結する第２測定セッティングを形成するステップと、第２測定セッティングで第４電極と第６電極との間に第２電圧差の測定を行うステップとを含む。
【００１１】
上記のような身体の電気的測定方法の一実施形態において、第１電極装着装置、第２電極装着装置を被検査者の第１肢体と第２肢体から分離するステップと、予め設定された時間以後に再び第１電極装着装置のクランプ電極装置で被検査者の第１肢体を挟んでクランプ電極装置を装着するが、第１肢体の長手方向に垂直方向から見たときマークが開口部又はチャネル内に位置するように装着され、第１電極、第２電極、第３電極、第４電極が第１肢体の特定部位の第１皮膚表面、第２皮膚表面、第３皮膚表面、第４皮膚表面と再び接触するように第１電極装置を装着するステップと、第２電極装着装置を再び被検査者の第２肢体に装着するが、第５電極及び第６電極がそれぞれ第２肢体の第５皮膚表面及び第６皮膚表面と接触するように第２電極装着装置を再び装着するステップと、第１及び第２電極装置が再び装着された第２時点において第１測定セッティングで第１電圧差を測定し、第２測定セッティングで第２電圧差を測定するステップと、予め設定された時間以前である第１時点に取得した第１電圧差と第２電圧との差、及び第２時点で取得した第１電圧差と第２電圧との差を処理して被検査者の体成分の変化を分析するステップとをさらに含み得る。
【００１２】
また、上記のような電気的測定方法の一実施形態において、測定された第１電圧差又は第２電圧差を用いて第１肢体の特定部位のインピーダンス値を算出するステップをさらに含み得る。一実施形態において、測定された第１電圧差又は第２電圧差及び予め備えられた公式又は表を用いて第１肢体の特定部位の体成分を分析するステップをさらに含み得る。一実施形態において、第１肢体は脚であり、第２肢体は腕であり、マークはくるぶしであり、特定部位は足首であり得る。一実施形態において、第１肢体は腕であり、第２肢体は脚であり、マークは尺骨頭であり、特定部位は手首であり得る。一実施形態において、測定された第１電圧差又は第２電圧差を用いて腕−胴体−脚につながる身体のインピーダンス値を算出するステップをさらに含み得る。一実施形態において、測定された第１電圧差又は第２電圧差及び予め備えられた公式又は表を用いて被検査者の体成分を分析するステップをさらに含み得る。
【００１３】
また、電気的測定方法の一実施形態において、前記第１電圧差と第２電圧との差を用いて第１インピーダンス値を求めるステップと、予め設定された時間が経過した後、追加的な第１電圧差と第２電圧との差を測定して第２インピーダンス値を求めるステップと、第１インピーダンス値と第２インピーダンス値の差が予め設定された範囲以上である場合に浮腫として判断するステップをさらに含み得る。
【００１４】
本発明の更なる側面によると、測定システムが提供される。測定システムは、上記に記載のクランプ電極装置である第１電極装着装置と、第３電極及び第４電極を備えた第２電極装着装置と、電流供給回路と、電圧測定回路と、それぞれが第１電極、第２電極、第３電極、第４電極に連結された第１ターミナル、第２ターミナル、第３ターミナル、第４ターミナルと、第１ターミナル、第２ターミナル、第３ターミナル、第４ターミナルのそれぞれを電流供給装置又は電圧測定回路に連結する接続回路とを含み、クランプ電極装置は第１肢体に装着され、第２電極装着装置は第２肢体に装着されるとき、スイッチング回路は、第１ターミナルと第２ターミナル及び電流供給回路と電圧測定回路との間の連結をスイッチングするように構成され、第１測定セッティングでは、第１ターミナルは電流供給回路に連結され、第２ターミナルは電圧測定回路に連結され、第２測定セッティングでは、第２ターミナルは電流供給回路に連結され、第１ターミナルは電圧測定回路に連結されるが、このようなスイッチングは、クランプ電極装置が肢体の特定部位を挟んで装着されている状態を保持しながら、第１測定セッティングと第２測定セッティングとの間にクランプ電極装置を第１肢体から分離されずに行われ、スイッチング回路は、第３ターミナルを電流供給回路に連結され、第４ターミナルは電圧測定回路に連結されるように構成し、第１測定セッティングでは第２電極と第４電極との間で第１電圧差を測定し、第２測定セッティングでは第１電極と第４電極との間で第２電圧差を測定できるように構成される。
【００１５】
上記のような測定システムの一実施形態において、前記第２電極装着装置は、第１電極装着装置のクランプ電極装置と実質的に同じ構成であるクランプ電極装置（以下、第１電極装着装置のクランプ電極装置を第１クランプ電極装置、第２電極装着装置のクランプ電極装置を第２クランプ電極装置と称する）を含み得る。
【００１６】
上記のような測定システムの他の実施形態において、第２電極装着装置は、第１電極装着装置のクランプ電極装置とは異なる構成のクランプ電極装置（以下、第１電極装着装置のクランプ電極装置を第１クランプ電極装置、第２電極装着装置のクランプ電極装置を第２クランプ電極装置と称する）を含み、第２クランプ電極装置は単一のクランプを備え、単一のクランプは上部クランプ羽と下部クランプ羽を含み、上部クランプ羽と下部クランプ羽は互いに連結され、互いに対して相対的に動き自在であるため、被検査体の第２肢体の特定部位に上部クランプ羽と下部クランプ羽との間にかみ合うようにして単一のクランプを装着し、第２クランプ電極装置には、上部クランプ羽又は下部クランプ羽のエッジから延びた延長部が備えられ、その延長部とエッジとの間に開口部又はチャネルが形成され、第２肢体の特定部位にあるマークが開口部又はチャネルに整列するように単一のクランプとクランプを装着し、第２クランプ電極装置は第３電極及び第４電極を備え、第３電極は上部クランプ羽に付着して単一のクランプが第２肢体に結合されるとき第３皮膚表面に接触し、第４電極は下部クランプ羽に付着して単一のクランプが第２肢体に結合されるとき第４皮膚表面に接触し、被検査体の第２肢体に単一のクランプが装着されるとき、肢体の特定部位にあるマークを基準点として用いてマークが開口部又はチャネル内に整列するように装着し、単一のクランプの装着及び除去を繰り返して測定するときにも第３電極及び第４電極がそれぞれ大体同じ位置の皮膚表面と接触し得る。
【００１７】
本発明の更なる実施形態によると、身体の電気的測定方法が提供される。身体の電気的測定方法は、上記で記載の測的システムのいずれか１つの測定システムを提供するステップと、第１クランプ電極装置で被検査者の足首を挟んで第１クランプ電極装置を装着するが、くるぶしが開口部又はチャネル内に位置するように装着し、第１電極及び第２電極がそれぞれ足首の第１皮膚表面と第２皮膚表面と接触するように第１クランプ電極装置を装着するステップと、第２クランプ電極装置で被検査者の手首を挟んで第２クランプ電極装置を装着するが、尺骨頭が開口部又はチャネル内に位置するように装着するステップと、第１電極、第２電極、第３電極、第４電極をそれぞれ第１ターミナル、第２ターミナル、第３ターミナル、第４ターミナルに連結するステップと、第１ターミナル及び第３ターミナルを電流供給回路に連結し、第２ターミナル及び第４ターミナルを電圧測定回路に連結した第１測定セッティングで第２電極と第４電極との間に第１電圧差の測定を行うステップと、第１クランプ電極装置と第２クランプ電極装置を足首と手首に装着した状態を保持しながら第１電極及び第２電極の連結をスイッチングし、第１電極は電圧測定回路に連結し、第２電極は電流供給回路に連結する第２測定セッティングを形成するステップと、第２測定セッティングで第１電極と第４電極との間に第２電圧差の測定を行うステップとを含む。
【００１８】
上記のような身体の電気的測定方法の一実施形態において、電気的測定方法は、第１クランプ電極装置を被検査者の足首から分離するステップと、予め設定された時間以後に再び第１クランプ電極装着装置で被検査者の足首を挟んでクランプ電極装置を装着するが、くるぶしが開口部又はチャネル内に位置するように装着し、第１電極及び第２電極が足首の第１皮膚表面、第２皮膚表面と再び接触するように第１クランプ電極装置を装着するステップをさらに含み、第１クランプ電極装置が再び装着された第２時点の第１測定セッティングで第１電圧差を測定し、第２測定セッティングで第２電圧差を測定するステップと、予め設定された時間以前である第１時点で測定した第１電圧差と第２電圧との差、及び第２時点で取得した第１電圧差と第２電圧との差を処理して被検査者の体成分の変化を分析するステップとをさらに含み得る。
【００１９】
上記のような身体の電気的測定方法の他の実施形態において、測定された第１電圧差又は第２電圧差を用いて腕−胴体−脚につながる身体のインピーダンス値を算出するステップをさらに含み得る。一実施形態において、測定された第１電圧差又は第２電圧差及び予め備えられた公式又は表を用いて被検査体の体成分を分析するステップをさらに含み得る。一実施形態において、測定された第１電圧差又は第２電圧差を用いて足首のインピーダンス値を算出するステップをさらに含み得る。一実施形態において、測定された第１電圧差又は第２電圧差及び予め備えられた公式又は表を用いて足首の体成分を分析するステップをさらに含み得る。
【図面の簡単な説明】
【００２０】
【図１】本発明の実施形態に係る人体体成分測定の概念図である。
【図２】図１に示す概念図で電極が付着した腕の一部分を拡大して示す図である。
【図３】図１に示す概念図で電極が付着した脚の一部分を拡大して示す図である。
【図４】本発明の実施形態に係る体成分測定を示す斜視図である。
【図５】図４に示す体成分測定で腕にクランプ電極装置が装着された状態を示す斜視図である。
【図６】図４に示す体成分測定で脚にクランプ電極装置が装着された状態を示す斜視図である。
【図７】本発明の実施形態に係るクランプ電極装置の斜視図である。
【図８】図７に示すクランプ電極装置が開いた状態を示す斜視図である。
【図９】図７に示すクランプ電極装置で１つのクランプが開いた状態を示す斜視図である。
【図１０】図４に示す体成分測定を示す概念図であって、第１測定状態を示す図である。
【図１１】図４に示す体成分測定を示す概念図であって、第２測定状態を示す図である。
【図１２】実施形態に係るクランプ電極装置を示す斜視図である。
【図１３】実施形態に係るクランプ電極装置を示す斜視図である。
【図１４】実施形態に係るクランプ電極装置を示す斜視図である。
【図１５】実施形態に係るクランプ電極装置を示す斜視図である。
【図１６】実施形態に係るクランプ電極装置を示す斜視図である。
【図１７】他の実施形態に係る体成分測定を示す斜視図である。
【図１８】図１７に示す体成分測定を示す概念図であって、第１測定状態を示す図である。
【図１９】図１７に示す体成分測定を示す概念図であって、第２測定状態を示す図である。
【図２０】他の実施形態に係る体成分測定を示す斜視図である。
【図２１】図２０に示す体成分測定を示す概念図であって、第１測定状態を示す図である。
【図２２】図２０に示す体成分測定を示す概念図であって、第２測定状態を示す図である。
【発明を実施するための形態】
【００２１】
用語の定義
「測定（ｍｅａｓｕｒｅｍｅｎｔ）」とは、測定装備で物理的な量を取得することをいう。測定は、また、物理的な量を処理して他の種類のを取得する過程を含む。したがって、身体の二地点に電流を加えて電圧計を用いて電圧差を求めることも測定といい、さらに、印加された電流値と電圧差をもってインピーダンス値まで算出することも測定という。
「体成分分析」又は「体成分測定」とは、被検査者の身体から求められる物理的な量をもって被検査者の身体の成分又は成分の間の比率を分析することである。
「四肢」（ｅｘｔｒｅｍｉｔｉｅｓ  ｏｒ  ｌｉｍｂｓ）は、人の腕と足、及び動物の４つの脚を集合的に表現したものであり、その１つずつを表現するために本明細書では「肢体」（ｅｘｔｒｅｍｉｔｙ  ｏｒ  ｌｉｍｂ）という用語を使用する。「肢体」は、腕や脚である。動物の場合には４つの脚のうち１つになる。人の場合、腕は胴体から手まで延びた部分を示し、大体に手首、手までも含む。脚は胴体から足まで延びた部分を示し、大体に足首、足までも含む。
「尺骨頭」は、手首部分に骨が突出した部分を示す。
「くるぶし」は、足首部分に骨が突出した部分を示す。
【００２２】
本明細書で使用する「上部」及び「下部」は互いに相対的な位置を表現するためのものとして、常に上部が下部の上にあることを意味することはない。例えば、上部クランプ羽と下部クランプ羽は互いに相対的な位置を表現するだけであって、必ず、上部クランプ羽が下部クランプ羽の上に位置することを意味しない。
【００２３】
本明細書の特許請求の範囲でいずれかの装置が特定数字の要素、装置又は部分を「含む」ことは、その特定数字の要素、装置又は部分以外にも追加的な要素、装置又は部分を有するものと理解しなければならない。例えば、クランプ電極装置が２つのクランプを「含む」とすれば、そのクランプ電極装置が２つ以上（例えば、３個、４個、５個）のクランプを有するものと理解しなければならない。
【００２４】
体成分分析
本発明の実施形態において、体成分を分析するためには体の一部分（例えば、胴体、腕、足、又は腕−胴体−腕につながる身体部分、腕−胴体−脚につながる身体部分）に対してインピーダンス値を求める。このように取得された身体のインピーダンス値を他の測定値（例えば、伸長、体重など）と共に予め備えておいた公式に入れて算出すれば、体成分を分析することができる。ここで、他の入力情報（例えば、性別、年齢など）も公式に入力して体成分を分析し得る。異なる例として、体成分と測定値との間の関係を示す表を予め備え、この表からインピーダンス値と異なる測定値に対応する体成分の比率を求めることにより体成分を分析し得る。
【００２５】
インピーダンス値
様々な実施形態では、インピーダンス値（又は、電気抵抗値）を求めるために２つの電流電極と２つの電圧電極を使用する。図１ないし図３を参照すると、電流供給装置６０に連結された電流電極の１つ６２は被検査者１０手首に付着し、他の１つ６４は足首に付着する。電圧測定装置７０に連結された電圧電極の１つ７２は手首に付着し、他の１つ７４は足首に付着する。２つの電流電極間で電流供給装置６０に電流を供給し、２つの電圧電極間の電圧差を電圧測定装置７０で測定する。加えられた電流量及び電圧差からインピーダンス値を求めることができる。インピーダンス値を求める最も簡単な公式を例にすれば、電圧差を電流に割ることである。
【００２６】
肢体と胴体のインピーダンス値
図１に示す実施形態では、右側手首と右側足首との間で右側腕−胴体−右側脚につながる身体部分のインピーダンス値を求めたが、これとは異なって、右側手首と左側足首に電流電極、電圧電極を付着して右側腕−胴体−左側脚につながる体のインピーダンス値を求めてもよい。これとは異なって、右側足首と左側足首に電流電極、電圧電極を付着して右側脚−左側脚につながる体のインピーダンス値を求めてもよい。このように、数個のインピーダンス値を取得すると、これを処理して全ての腕と足及び胴体の各部分に対するインピーダンス値を取得することができる。また、身体の各部分（腕／脚／左／右）に付着した電極の組合を相違にして腕と脚、胴体のインピーダンス値を個別的に求める方法もある。
【００２７】
動きの不便な人の体成分測定
動きの不便な人の体成分を測定することは動きの不便ではない人とは異なる。動きが不便ではない人のための体成分測定装置は、例えば、米国特許第５７２０２９６号に開示された装置である。電極が装置の踏み台及び取っ手に設置され、被検査者が能動的に踏み台の上に立って取っ手を捉える。動きの不便な人はこのような装置を利用することが難しい。したがって、様々な実施形態では、検査者（医師、看護師又は他の補助員）が直接電極を被検査者の身体部位に付けてインピーダンス値を求める。図１ないし図３に示す実施形態では電極を腕部位（例えば、手首）と脚（例えば、足首）に付着してインピーダンス値を求める。
【００２８】
体成分の反復測定
定期的に（例えば、毎日、隔日、一週間ごとなど）体成分を測定して身体状態を点検することが必要なこともある。体成分の変化を見回せば、患者の体中に水分の増加や減少を把握することができる。医師は、体成分の分析結果の推移を検討して病の進行又は緩和も推定できる。
【００２９】
反復測定のための電極の付着
図１ないし図３に示す実施形態のような方法で反復測定すると、電極を被検査者に取り付け、測定した後には電極を体から取り外す。その後、再び体成分を測定するときには再び電極を付着する。ここで、電極は、前回測定したとき取り付けた位置に付着する。一般に、体のインピーダンス値は電極の位置に応じて変わり、電極が前回測定したとき取り付けた位置と異なる位置に付着する場合、インピーダンス値の再現度を期待し難い。再現度を高めるためには、常に電極を一定の位置に付着しなければならない。一定の位置に電極を付着するために、予め体にマーキングしたり基準点（ｒｅｆｅｒｅｎｃｅ  ｐｏｉｎｔ）又は基準マーク（ｒｅｆｅｒｅｎｃｅ  ｍａｒｋ）にし得る体の特定部分（例えば、骨が突出した部分）に対して一定の位置に電極を付着する。
【００３０】
電極の付着位置−腕
様々な実施形態において、被検査者が横になっている状態で被検査者の尺骨頭（ｕｌｎａ  ｈｅａｄ）２２位置の皮膚に腕の長手方向に大体垂直な線１２をひいて表示しておき、その線がひかれた位置に電圧電極を付着する。電流電極は指又は指に近い手の甲に付着する。これとは異なる様々な実施形態では、図１ないし図３に示すように、腕の尺骨頭（ｕｌｎａ  ｈｅａｄ）２２を基準として引いた線１２から胴体側に若干離れた位置に電圧電極を、手側から若干離れた位置に電流電極を付着する。
【００３１】
電極の付着位置−脚
脚では内果（ｍｅｄｉａｌ  ｍａｌｌｅｏｌｕｓ）３４又は外果（ｌａｔｅｒａｌ  ｍａｌｌｅｏｌｕｓ）３２の位置皮膚に脚の長手方向に大体垂直な線１４をひいて表示して電圧電極を付着する。電流電極は、足指又は足指に近い足の甲に付着する。これとは異なる様々な実施形態では、脚のくるぶし３２、３４を基準として引いた線１４から胴体側に若干離れた位置に電圧電極を、足側から若干離れた位置に電流電極を付着する。
【００３２】
付着式電極の不便な点
上記のように、電極を取り付けたり外したりしながら体成分を繰り返し測定することはできるが、これは煩わしいことである。また、付着する人の熟練度に応じて付着位置が変わり得る。一方、電極に連結された線が引かれれば、測定中に電極が取り外される場合もある。また、被検査者の皮膚に汗がある場合、電極が容易に付着できなかったり、付けても容易に外されることがある。したがって、検査者の細かい注意が求められる。
【００３３】
クランプ電極装置を用いた体成分測定
検査者に熟練度の影響をそれ程受けることなく容易に電極を被検査者の身体の一定位置に反復装着するため、図４ないし図６に示す実施形態のように、体成分測定にクランプ電極装置（ピンセット電極装置）を使用してもよい。図４ないし図６を参照すると、被検査者の手首と足首にそれぞれクランプ電極装置を装着した後、測定システム５０で被検査者の体成分を測定する。
【００３４】
横になった状態における測定
図４に示す実施形態では、被検査者が横になっている状態で測定するが、本発明は、これに制限されることはない。他の実施形態では被検査者が座っている状態で測定してもよい。
【００３５】
２つ以上のクランプ電極装置
図７ないし図９に示す実施形態を参照すると、クランプ電極装置（ｃｌａｍｐ  ｅｌｅｃｔｒｏｄｅ  ａｐｐａｒａｔｕｓ）１００には、第１クランプ１１０と第２クランプ１５０が並んで配列され、互いに連結して１つの統合された装置を構成している。クランプ電極装置又は電極クランプ１００は、足首に使用するクランプ電極装置と手首に使用するクランプ電極装置は同一又は類似の構造を有するものを使用する。ただし、大きさは当該部分の太さに応じて異なるものを使用してもよい。
【００３６】
クランプの羽
実施形態で、第１クランプ１１０は、上部クランプ羽１１２と下部クランプ羽１１４を有する。第２クランプ１５０も上部クランプ羽１５２と下部クランプ羽１５４を有する。各クランプ１１０、１５０の上部クランプ羽と下部クランプ羽は互いにヒンジ連結され、互いに対して相対的に動き自在である。したがって、上部クランプ羽と下部クランプ羽を開けたり閉じて被検査者の腕又は脚の特定部位（例えば、手首又は足首）に第１クランプ及び第２クランプを装着（クランピング）し得る。
【００３７】
チャネル又は孔
実施形態において、クランプ電極装置１００の第１クランプ１１０と第２クランプ１５０は互いに並んで配列されているが、第１クランプ１１０の上部クランプ羽１１２の内側エッジ１１６と第２クランプ１５０の上部クランプ羽の内側エッジ１５６が互いに向かい合って配置される。このエッジ１１６とエッジ１５６の間には開口部又はチャネル１１８が形成されている。クランプ電極装置の装着時、腕や足のような肢体の特定部位にあるマーク（例えば、尺骨頭又はくるぶし）がチャネルの一定の位置に入ったり、このマークがガイドされながら入る。したがって、クランプ電極装置１００は、マークを基準として一定（誤差をほとんど無視できる程度）の位置に装着され得る。
【００３８】
尺骨頭及びくるぶしを用いた装着
図５に示す実施形態を参照すると、ユーザは、クランプ電極装置１００を腕に装着するときには開口部又はチャネル１１８に尺骨頭が入るように整列して第１クランプと第２クランプを固定し得る。図６に示す実施形態を参照すると、ユーザは、クランプ電極装置１００を脚に装着するときには開口部又はチャネル１１８にくるぶしが入るように整列して第１クランプと第２クランプを固定し得る。
【００３９】
下部羽の間の開口部
図７ないし図９に示すように、下部クランプ羽１１４、１５４の間に開口部又はチャネル１２０を形成する。身体は、肢体ごとに他の方向に突出したマークを有する。例えば、右腕と左腕の尺骨頭の突出方向は反対である。上記で説明したようなクランプ電極装置の構造（２つの下部クランプ羽の間に、また、２つの上部クランプ羽の間にチャネルが備えられた構造）は、基準マークがどの方向に突出したかに関係なく、又はどの肢体であるかに拘束されることなく、クランプ電極装置を使用することができる。
【００４０】
身体の基準マーク
基準マーク（ｒｅｆｅｒｅｎｃｅ  ｍａｒｋ）にし得る部分は、すでに体にある特定部分（例えば、骨が突出した部分）である。上記で説明した尺骨頭又はくるぶしを用いてもよい。しかし、本発明は、これに制限されることはない。このような基準マークは、被検査者の身体に本来あったものであり、測定のために身体の特定位置に人工的に設置したマークであってもよい。このようなマークは突出構造物であってもよく、突出しないが目で識別可能に表示された点、円、多角形、Ｘ表などようなマークであってもよい。一方、基準マークは、身体の特定部位から突出したものであってもよいが、身体から突出しないよう引いた線又は点又はその他の図形のように、目で確認できるものであってもよい。
【００４１】
マークによるクランプ電極装置の移動制限
突出した構造物を用いる場合には、クランプ電極装置を装着した後、その突出した構造物によりクランプ羽の移動が制限される。具体的に、クランプ羽が突出構造物にかかって肢体の長手方向に沿って移動することが制限される。図５に示す例を参照すると、尺骨頭がチャネルに入っていれば、尺骨頭がクランプ羽の内側エッジと接してクランプ羽が腕の長手方向に移動することを制限する。図６に示す例を参照すれば、くるぶしがクランプ電極装置の移動を制限し得る。
【００４２】
第１クランプと第２クランプの独立的な動き
図７ないし図９に示す実施形態では、第１クランプの上部羽１１２と第２クランプの上部羽１５２が独立的に動くことができるよう構成されている。また、第１クランプの下部羽１１４と第２クランプの下部羽１５４が独立的に動くことができる。このような構成によると、第１クランプ１１０がかみ合う身体部位と第２クランプ１５０がかみ合う身体部位の太さが異なったり、又は、折れている構造（例えば、足）である場合、それに合わせてクランピングし得る。また、図８に示すように、２つのクランプ１１０、１５０を一回つかむ動作で一回に開けて手首又は足首にかみ合ってもよい。異なる様々な実施形態では、図９に示すように、２つのクランプ１１０、１５０のうち１つずつ開けたり閉じることができる。
【００４３】
第１クランプと第２クランプのヒンジ結合
図７ないし図９に示す実施形態において、第１クランプの上部クランプ羽１１２と下部クランプ羽１１４はヒンジ連結されている。したがって、上部クランプ羽が下部クランプ羽に対して相対的にヒンジ軸を中心に回転し得る。一方、第２クランプの上部クランプ羽１５２と下部クランプ羽１５４もヒンジ連結され、上部クランプ羽が下部クランプ羽に対して相対的に回転し得る。
【００４４】
第１クランプと第２クランプのヒンジ軸
図７ないし図９に示す実施形態において、１つのヒンジピン１０２が第１クランプ１１０と第２クランプ１５０を貫通して延び、クランプ羽は同じヒンジ軸を基準にして回転する。これとは異なって、第１クランプのヒンジ軸と第２クランプのヒンジ軸がそれぞれ異なってもよい。この場合、２つのヒンジ軸は互いに大体平行する。異なる様々な実施形態では、２つのヒンジ軸が互いに平行しなくてもよい。
【００４５】
４個の電極
図７ないし図９に示す実施形態において、クランプ電極装置は、第１電極、第２電極、第３電極、第４電極を備える。第１電極１２２は第１クランプの上部羽１１２に、第３電極１２４は第１クランプの下部羽１１４に付着する。第２電極１６２は第２クランプの上部羽１５２に、第４電極１６４は第２クランプの下部羽１５４に付着する。
【００４６】
電極の付着位置
図７ないし図９に示す実施形態において、第３電極１２４は第１クランプ内の側面に第１電極１２２と向かい合うように付着するが、電極装置１１０を腕又は脚に装着した時には腕又は脚の長手方向に沿って第１電極１２２と第３電極１２４が基準マークから大体同じ距離だけ離隔して付着される。したがって、第１電極１２２と第３電極１２４はヒンジ軸に垂直方向から見たとき、ヒンジ軸方向にチャネルのいずれか１つの位置（例えば、エッジ１１６）から同じ距離だけ離隔して付着される。また、第４電極１６４は、第２クランプ内の側面に第２電極１６２と向かい合うように付着されるが、電極装置１１０を腕又は脚に装着した時には腕又は脚の長手方向に沿って第２電極１６２と第４電極１６４が基準マークから大体同じ距離だけ離隔して付着される。したがって、第２電極１６２と第４電極１６４はヒンジ軸に垂直方向から見たとき、ヒンジ軸方向にチャネルのいずれか１つの位置（例えば、エッジ１１６）から同じ距離だけ離隔して付着される。
【００４７】
測定システムに電極連結
各電極は、別途の電線で測定システム５０のターミナルに連結され得る。測定は必要に応じて、４個の電極皆を測定システム５０のターミナルに連結してもよい。一実施形態では、一部の電極のみを連結している。例えば、第１電極１２２と第３電極１２４のみを測定システム５０のターミナルに連結してもよく、異なる例として、第１電極１２２と第２電極１６２のみを測定システム５０のターミナルに連結してもよい。
【００４８】
反復測定時に電極の接触位置保持と反復再現性
図５ないし図９に示す実施形態において、クランプ電極装置１００の第１電極、第２電極、第３電極、第４電極は互いに異なる位置の皮膚表面に接触する。クランプ電極装置１００はクランプが開口部又はチャネルを有し、このチャネルに身体の特定部位にあるマーク（例えば、尺骨頭又はくるぶし）がくるようにする。したがって、電極装置の装着と分離を繰り返す反復測定においても、この誘導手段によりクランプ電極装置１００が一定位置にクランピングされ、第１電極、第２電極、第３電極、第４電極は、それぞれ以前に接触した位置と大体同じ位置の皮膚表面と接触することになる。したがって、身体が変化することなく測定環境が同一であると仮定すれば、反復される測定にもほぼ同じ位置に電極が接触されて、再現性の高い体成分の測定結果を取得することができる。このように反復再現性を有するために、毎日（又は二日に一回、一週間に一回、又は一ヶ月に一回）に反復測定した結果、ある日の体成分の測定結果が他の日とは異なる場合、体成分に変化があることを把握し、それにより医師は被検査者の治療方法及び／又は治療薬を変更したり、被検査者の運動プログラムを変更する措置を取ることができる。
【００４９】
測定システム
測定システムは、クランプ電極装置に連結されて体成分を測定するためである。図４に示す実施形態において、測定システム５０には、電流供給装置６０と電圧測定装置７０が備えられている。また、測定システム５０は、クランプ電極装置にある電極を連結するためのターミナルが設けられている。また、ターミナルと電流供給装置６０と、電圧測定装置７０の間の連結をスイッチングするスイッチング装置８０が設けられる。図４に示す実施形態において、測定システム５０は、プロセッサとメモリ、格納媒体、ディスプレイ、プリンタなどをさらに備えてもよい。メモリには、測定システム５０が有している各種の装置を制御してデータを処理し、体成分を分析する１つ以上のプログラムが格納される。
【００５０】
ターミナル
図４に示す実施形態において、測定システム５０は、第１ターミナル５１、第２ターミナル５２、第３ターミナル５３、第４ターミナル５４、第５ターミナル５５、第６ターミナル５６を有する。ターミナルの数はこれに制限されることはない。例えば、第７ターミナル及び第８ターミナルを有してもよい。異なる例として、第５ターミナル、第６ターミナルを有しなくてもよい（図２０に示す測定システム参照）。ターミナルの数は使用するクランプ電極装置の全ての電極の数を合わせた数と同一であってもよい。異なる例として、ターミナルの数が電極数よりも多いか少なくてもよい。
【００５１】
スイッチング装置
測定システム５０は、スイッチング回路８０をさらに備える。このスイッチング回路は、ターミナルをそれぞれ電流供給装置又は電圧測定回路に連結し、必要に応じて、連結を切ったり他の回路に連結するスイッチングを行う。図示するように、クランプ電極装置の一つ１０００−１は脚に装着され、他のクランプ電極装置１０００−２は腕に装着されるとき、スイッチング回路は、各ターミナル及び電流供給装置６０と電圧測定回路７０の間を連結したり連結を切るなどのスイッチングするように構成される。
【００５２】
電気的な測定
図４及び図１０及び図１１を参照すると、被検査者の体成分を分析するためには、まず、電気的な測定システム５０を用いて被検査者に対する電気的な測定を実施する。電気的な測定は、クランプ電極装置を被検査者の肢体に装着してクランプ電極装置のターミナルに連結した後、スイッチング装置で電極と電流供給装置及び電圧供給装置の間を連結して電気的な測定を行う。様々な実施形態において、このような電気的な測定は、スイッチング装置を作動させて電極と電流供給装置及び電圧供給装置の間の連結を変化させながら電気的な測定を行う。
【００５３】
クランプ電極装置の装着
図示する実施形態において、クランプ電極装置１０００−１で被検査者の足首を挟んでクランプ電極装置１０００−１を装着するものの、くるぶし３２が開口部又はチャネル内に位置するように装着する。他の実施形態において、目にだけ確認できるマークを用いる場合、チャネル１１８にそのマークが入っているかを目で確認し、マークがチャネル内に位置するようクランプ電極装置を装着する。クランプ電極装置１０００−１を装着すると、第１クランプと第２クランプのクランプ羽ごとに付着されている４個の電極２８１、２８２、２８３、２８４は足首部分の皮膚に接触する。手首には、クランプ電極装置１０００−２が装着される。クランプ電極装置１０００−２の電極も手首部位の皮膚に接触する。
【００５４】
測定システムのターミナルと電極の連結
図４及び図１０及び図１１に示す実施形態において、クランプ電極装置の装着前又はその後に電極をターミナルに連結する。詳細に、電極２８１は第１ターミナル５１に、電極２８２は第２ターミナル５２に、電極２８３は第３ターミナル５３に、電極２８４は第４ターミナル５４に、電極２８５は第５ターミナル５５に、電極２８６は第６ターミナル５６に連結する。
【００５５】
第１測定セッティングの設定及び測定
図４及び図１０及び図１１に示す実施形態において、腕、胴体、及び脚につながる身体部分に対する電気的な測定を行う。図１０は、足首部分まで含まれている体の一部分に対して電気的な測定を行うための第１測定セッティングを示す。具体的に、測定システム５０に備えられたスイッチング回路８０が電極２８１と電極２８５を電流供給装置６０に連結し、電極２８３と電極２８６を電圧測定回路７０に連結して第１測定セッティングを形成する。図１０に示すように、足首部分が測定される身体部分に含まれるよう備えられた状態（第１測定セッティング）で、電流供給装置６０が電極２８１と電極２８５との間に電流を供給しながら、電圧測定回路７０が電極２８３と電極２８６との間の第１電圧差の測定する。第１電圧差は、足首部分が含まれた身体部分を測定した値である。
【００５６】
第２測定セッティングの設定及び測定
その後、測定システム５０に備えられたスイッチング装置８０は、回路の連結をスイッチングして足首が含まれていない身体部分に対する電気的な測定を行う。図１１は、足首部分を除いた身体部分に対して電気的な測定を行うための第２測定セッティングを示す。具体的に、第２セッティングでは測定システム５０に備えられたスイッチング回路８０が電極２８１及び電極２８３の連結を切って、電極２８２を電流供給装置６０に、電極２８４を電圧測定回路７０に連結する。電極２８５及び電極２８６の連結はそのまま保持する。図１１に示すように、身体部分から足首部分が除外された状態（第２測定セッティング）で、電流供給装置６０に連結された電極２８２と電極２８５との間に電流を供給しながら、電圧測定回路７０に連結された電極２８４と電極２８６との間の第２電圧差を測定する。第２測定セッティングで測定した第２電圧差は、足首部分が除外された身体部分に対して測定した値である。
【００５７】
第２測定セッティングの他の実施形態
他の実施形態において、電極２８１と電流供給装置６０の連結を保持したまま、電極２８３と電圧測定回路７０との間の連結を切って電極２８４と電圧測定回路７０を連結して第２測定セッティングを形成してもよい。この状態では、電極２８１と電極２８５との間に電流を供給しながら電圧測定回路７０に連結された電極２８４と電極２８６との間の第２電圧差を測定する。
【００５８】
クランピング状態を保持しながら第１測定セッティングから第２測定セッティングに転換
図４、図１０及び図１１に示す実施形態を参照すると、第１測定セッティングから第２測定セッティングに転換することは、クランプ電極装置が肢体の特定部位（図示する実施形態で足首と手首）を挟んで装着されている状態を保持しながら行われる。
【００５９】
インピーダンス値の算出
図１０及び図１１に示す設定により測定した第１電圧差又は第２電圧差を処理すれば、腕−胴体−脚につながる身体部分のインピーダンス値を算出し得る。このインピーダンス値を予め備えられた公式又は表を用いて被検査者の体成分を分析することがでいる。その公式は、例えば、特許第５、７２０、２９６号（発明者：Ｋｉ  Ｃｈｕｌ  Ｃｈａ）に開示された様々な公式であり得る。前記特許に開示されたインピーダンス値を体成分分析に使用する方法は、本出願の一部とする（ｉｎｃｏｒｐｏｒａｔｅｄ  ｂｙ  ｒｅｆｅｒｅｎｃｅ）。
【００６０】
周波数が異なる電流の供給
図４、図１０及び図１１に示す実施形態において、測定システム５０は、電流供給装置６０が交流電流を電極間に供給する間に、電圧測定装置７０は電極間の電圧差を測定する。第１、２測定セッティングで測定するとき、電流供給装置６０は、周波数の異なる電流を順に供給し得る。電圧測定装置７０は、このように周波数の異なる電流が順に供給される状態で電極間の電圧差を測定する。一実施形態に係るこのような電圧差は、電気的な信号に示される。順に供給される電流の周波数は、例えば、１ＫＨｚ、５ＫＨｚ、５０ＫＨｚ、２５０ＫＨｚ、５００ＫＨｚであってもよい。
【００６１】
周波数ごとのインピーダンス値及びその利用
実施形態において、電流供給装置６０が電流電極の間に印加した互いに異なる周波数の電流の信号と、電圧測定装置７０で取得した周波数別電圧信号を処理して周波数ごとのインピーダンス値を取得する。この周波数ごとのインピーダンス値を予め備えられた公式又は表を用いて処理することで被検査者の体成分を分析することができる。一般的に、高周波電気信号は、低周波電気信号に比べて細胞壁を円満に通過する特徴がある。高周波電流を印加しながら測定したインピーダンス値は、細胞内の水の量が反映されたものである。したがって、各周波数ごとのインピーダンス値を全て用いて体成分を分析した結果は、実際の被検査者の体成分の状態をさらに正確に反映し得る。
【００６２】
浮腫
一般的に、体の足首で浮腫が多く発生する。浮腫は医師が足首部位を指で押して診断する。図４、図１０及び図１１に示す実施形態では、測定装置及びクランプ電極装置を用いて浮腫を診断する。足首の体成分（例えば、水分の量）を分析すれば、浮腫の可能性を判断するためである。
【００６３】
足首のインピーダンス値の算出
実施形態において、図１０に示す第１測定セッティングで測定した第１電圧差を処理して求めた第１インピーダンス値を求め、図１１に示す第２測定セッティングで測定した第２電圧差を処理して求めた第２インピーダンス値を求める。第１測定セッティングは足首を含み、第２測定セッティングは足首を含まないため、例えば、第１インピーダンスと第２インピーダンス値の差から被検査者の足首に対するインピーダンス値を求める。異なる例として、第１電圧差と第２電圧との差を予め備えられた公式に入れて足首に対するインピーダンス値を求めてもよい。
【００６４】
足首インピーダンス値の大きさを用いた浮腫の可能性の判断
上記の実施形態で取得した足首のインピーダンス値は、足首部分の水分の量と相関関係がある。したがって、足首のインピーダンス値は浮腫を計る指標となる。一実施形態において、このインピーダンス値で浮腫を判断することができる。例えば、足首のインピーダンス値が一定の数値より小さければ、浮腫の可能性があると判断する。
【００６５】
足首インピーダンス値の推移を用いた浮腫の判断
他の実施形態において、インピーダンス値の推移をもって浮腫を判断し得る。上記で使用するクランプ電極装置を利用すれば、反復測定にも大体同じ位置の皮膚表面の上に電極が位置し得るため、インピーダンス値の推移を相当な程度の正確度をもって取得できる。例えば、足首のインピーダンス値が一定のレベルを保持してからインピーダンス値が大いに小さくなると、これを浮腫の可能性があると判断する。
【００６６】
低周波電気信号及び高周波電気信号を用いた浮腫の判断
浮腫は、細胞内の水分の変化より細胞以外の水分の増加によるものである。また、高周波電気信号は、低周波電気信号に比べて細胞壁をもっと円満に通過する特徴がある。したがって、様々な実施形態において、相対的に周波数が互いに異なる低周波電気信号（例えば、５Ｋｈｚの電気信号）と高周波電気信号（例えば、５００ＫＨｚの電気信号）を加え、それぞれの電気信号ごとに第１電圧差と第２電圧との差を求めて各電気信号ごとに足首のインピーダンスを求めて浮腫を判断し得る。例えば、低周波電気信号で測定したときインピーダンスが高周波電気信号で測定した値との差が一定の値以上であれば浮腫として判断する。他の実施形態において、上記の実施形態で説明したように、クランプ電極装置が有する反復再現性の特徴を用いて、高周波電気信号で測定した足首のインピーダンス変化と低周波電気信号で測定した足首のインピーダンス変化を評価して浮腫を判断してもよい。例えば、高周波電気信号で測定した足首のインピーダンス変化率に比べて、低周波電気信号で測定した足首のインピーダンス変化率が予め設定された範囲以上に大きい場合、浮腫として判断する。
【００６７】
浮腫の最終診断及び治療
上記で説明した実施形態のように、足首のインピーダンス値を用いて浮腫の可能性があると判断すれば、医師は他の診断機械又は診断方法（例えば、ＭＲＩ撮影を用いた診断方法）を用いて浮腫であることを最終的に判断する。浮腫であると最終判断されれば、医師は浮腫を減少させる薬を投与することで浮腫を治療することができる。
【００６８】
コンピュータプログラム
図４に示す実施形態で、測定システム５０のメモリ装置には、コンピュータプログラムが格納されている。コンピュータプログラムは、上記で説明した実施形態のように、測定及び分析を行う命令を含む。一実施形態において、測定システムに備えられた開始ボタンを押すと、プロセッサが電流供給装置６０、電圧測定回路７０、スイッチング回路８０を作動させて電圧差を測定し、測定された電圧差を処理してインピーダンス値を求めて体成分を分析し、分析結果をディスプレイやプリンタのような出力装置で出力させる命令がコンピュータプログラムに含まれている。
【００６９】
他の実施形態−図１２に示すクランプ電極装置
図１２に示す実施形態において、クランプ電極装置２００の第１クランプ２１０の上部羽２１２と第２クランプ２５０の上部羽２５２は互いに独立的に動くことが可能に構成されている。一方、第１クランプ２１０と第２クランプ２５０は、下部羽２１４が一体になっている。チャネル２２２は上部羽の間に形成されている。他の実施形態において、下部羽の中央にもチャネル２２２と同じ機能を行うチャネル又は孔を形成してもよい。図示する実施形態において、電極は、各上部羽にそれぞれ１つずつ付着される。下部羽には、上部羽に付着した各電極と向かい合う位置に電極が１つずつ付着されている。
【００７０】
他の実施形態−図１３に示すクランプ電極装置
図１３に示す実施形態において、クランプ電極装置３００の単一のクランプ（例えば、図１２に示す装置で第１クランプと第２クランプの上部羽も一体になっている構成のクランプ）を備える。この単一のクランプの上部羽３１２の中間に孔３２２が形成されている。他の実施形態では、上部羽の終端部が開放されたチャネルを形成してもよく、更なる実施形態では、下部羽３１４にもチャネル又は孔を形成してもよい。図示する実施形態において、上部羽には電極がチャネルを挟んでそれぞれ１つずつ付着される。下部羽には、上部羽に付着した各電極と向かい合う位置に電極が１つずつ付着される。
【００７１】
他の実施形態−図１４及び図１５に示すクランプ電極装置
図１４に示す実施形態でクランプ電極装置４００、５００は図１３に示す実施形態のように、上部羽４１２、５１２と下部羽４１４、５１４が１つずつ備えられた単一のクランプを備える。ただし、異なる点は、孔４２２、５２２が上部羽４１２、５１２の片側に偏って形成されている点である。具体的に、上部クランプ羽のエッジ４１６、５１６から延びた延長部４２６、５２６が備えられ、その延長部とエッジとの間にチャネル又は孔４２２、５２２が形成される。この孔４２２、５２２とマークを合わせることで、クランプ電極装置４００、５００が特定の位置にクランピングされる。図１４に示す実施形態と図１５に示す実施形態が異なる点は、電極の位置にある。図１４に示す実施形態において、下部羽４１４に２つの電極４２４、４６４が全て位置する。これとは異なり、図１５に示す実施形態では、電極の１つ５２４は上部羽５１２に、他の１つ５６４は下部羽５１４に付着される。他の実施形態において、上部羽に２つの電極を並んで付着してもよく、これらの電極と向かい合うように下部羽にも電極を並んで付着してもよい。
【００７２】
図１４及び１５に示すクランプ電極装置の利用
図１４及び図１５に示す実施形態のクランプ電極装置を利用すると、電極が全て肢体の長手方向にマークのいずれか一方にある皮膚表面に位置し得る。例えば、腕に使用する場合、電極が全て尺骨頭から腕の長手方向に胴体の側にある位置で皮膚表面に接触される。脚に使用する場合、電極が全てるぶしから脚の長手方向に胴体側である位置で皮膚表面に接触される。一般的に、腕や足から胴体に近い側に電極を設けると、さらに正確に測定することができる。したがって、上記のように図１４及び図１５に示す装置を利用すれば、さらに正確に測定することができる。しかし、本発明は、これに制限されることなく、上記とは異なって電圧電極及び電流電極の全てをさらに尺骨頭又はくるぶしの位置よりも腕や足のさらに先端側に電極が位置するようにしてもよい。
【００７３】
他の実施形態−図１６に示すクランプ電極装置
図１６に示すクランプ電極装置７００は、図６ないし図８に示すクランプ電極装置１００の第２クランプ７５０の隣に第３クランプ７８０をさらに有する構造である。第１クランプ７１０と第２クランプ７５０との間にチャネル７２２が形成されたよう、第２クランプ７５０と第３クランプ７８０との間にもチャネル７２３が形成されている。このような構成のクランプ電極装置は、どのようなチャネルを使用するかについてユーザに自由度を与えることができる。
【００７４】
図１７ないし図１９に示す実施形態に係る電気的な測定
図１７ないし図１９に示す実施形態は、図４及び図１０及び図１１に示す実施形態と手首に装着されたクランプ電極装置の構成に差があり、その他の部分は同一である。図１７ないし図１９に示す手首には、クランプ電極装置１０００−４が装着される。クランプ電極装置１０００−４は２つの電極５８５、５８６を備える。足首に着用しているクランプ電極装置１０００−３は、図４及び図１０及び図１１に示す実施形態のように図７ないし図９、図１２、図１３に示すクランプ電極装置である。図１８に示す測定セッティングは図１０に示す第１測定セッティングに対応し、図１９に示す測定セッティングは図１１に示す第２測定セッティングに対応する。測定システム５０を用いて電気的な測定を行うことは、図４及び図１０及び図１１に示す実施形態と同一である。
【００７５】
図２０ないし図２２に示す実施形態に係る電気的な測定
図２０に示す実施形態において、測定システム５０は、第１ターミナル５１、第２ターミナル５２、第３ターミナル５３、第４ターミナル５４を使用する以外に図４に示す実施形態と同じ構成を有する。図示するように、クランプ電極装置１０００−５は脚に装着され、他のクランプ電極装置１０００−６は腕に装着される。クランプ電極装置１０００−５、１０００−６は図７ないし図９、図１２ないし図１４、図１６に示すクランプ電極装置であり得る。
【００７６】
図２０ないし図２２に示す実施形態に係る第１測定セッティング形成及び電気的な測定
図２１に示すように、スイッチング回路８０は、電極１８１及び電極１８３を電流供給回路に連結し、電極１８２及び電極１８４を電圧測定回路に連結して第１測定セッティングを形成する。この状態で、電流供給装置６０が電極１８１と電極１８３との間に電流を供給しながら、電圧測定装置で電極１８２と電極１８４との間で第１電圧差を測定する。
【００７７】
図２０ないし図２２に示す実施形態に係る第２測定セッティング形成及び電気的な測定
第１測定セッティングで第１電圧差の測定を終了した後、クランプ電極装置１０００−５、１０００−６の装着状態を保持しながら、スイッチング回路は、第２測定セッティングに連結をスイッチングする。図２２に示すように、第２測定セッティングで電極１８１は電圧測定回路７０に連結し、電極１８２は電流供給装置６０に連結する。この状態で、電流供給装置６０に電極１８２と電極１８３との間に電流を供給しながら、電圧測定装置７０で電極１８１と電極１８４との間で第２電圧差を測定する。上記で説明した実施形態のように第１電圧差と第２電圧との差を処理して体成分を分析する。
【００７８】
手首又は肢体の他の部分で電気的な測定の実施形態
図４、図１０及び図１１、図１７ないし図１９、図２０ないし図２２に示す実施形態において、第１電圧差及び第２電圧差を用いて足首部分（正確にクランプ電極装置の２つのクランプそれぞれに付着した電極位置の間にある足首部分）におけるインピーダンス値又は体成分の測定について説明したが、本発明は、足首における電気的な測定としてのみ制限されることはない。同じ方法により、手首部分（正確にクランプ電極装置の２つのクランプそれぞれに付着した電極位置の間にある手首部分）のインピーダンス値又は体成分を測定し得る。また、手首部分の反復測定によって体成分変化の推移を追跡し得る。手首を測定するために、クランプ電極装置を装着するときには尺骨頭をマークとして利用してもよい。さらに、手首や足首の他に腕や足の他の部分のインピーダンス値又は体成分及びその変化も測定し得る。例えば、肘と手首の間の腕部分にクランプ電極装置を設置するときには、その部分にマーク（例えば、色塗り、テーピングなどの人工的なマーク）を行い、そのマークを基準としてクランプ電極装置を装着し得る。
【００７９】
手首部分のインピーダンス測定
一実施形態において、クランプ電極装置を用いて手首のインピーダンスを求めることができる。具体的に、図１０及び図１１に示す電極２８１、２８２、２８３、２８４が手首部分に接触するようクランプ電極装置を装着し、電極２８５、２８６が足首部分に接触するようクランプ電極装置を装着すれば、足首で測定する方法と同じ方法により手首のインピーダンス値を取得できる。この手首のインピーダンス値を処理して手首の浮腫を診断し得る。
【００８０】
以上、本発明の実施形態を説明したが、当業者であれば本発明の趣旨から離れることなく前記様々な実施形態の構成を変更する可能性があることを理解できるはずである。そのような変更も本発明の範囲に属するものと理解されなければならない。
【図１】
2019115649.tif 000003
【図２】
2019115649.tif 000004
【図３】
2019115649.tif 000005
【図４】
2019115649.tif 000006
【図５】
2019115649.tif 000007
【図６】
2019115649.tif 000008
【図７】
2019115649.tif 000009
【図８】
2019115649.tif 000010
【図９】
2019115649.tif 000011
【図１０】
2019115649.tif 000012
【図１１】
2019115649.tif 000013
【図１２】
2019115649.tif 000014
【図１３】
2019115649.tif 000015
【図１４】
2019115649.tif 000016
【図１５】
2019115649.tif 000017
【図１６】
2019115649.tif 000018
【図１７】
2019115649.tif 000019
【図１８】
2019115649.tif 000020
【図１９】
2019115649.tif 000021
【図２０】
2019115649.tif 000022
【図２１】
2019115649.tif 000023
【図２２】
2019115649.tif 000024